(57)【要約】【課題】多数のナットを連続的に取り付けおよび取り外しすることができるボックスレンチを提供する。【解決手段】インパクトドライバ１５に着脱可能に構成され、ナットの取り付けおよび取り外しに使用するためのボックスレンチ１０であって、ボックスレンチ本体１３が、複数のナットを穴部１１に収容可能な筒状に形成され、穴部１１には、複数のナットの内、所定数を押し出し可能に構成されたスライド片３５と、穴部１１における開口端近傍に、複数のナットを穴部１１に保持可能に構成された第一係止部５１と、が設けられ、穴部１１の開口端に少なくともナットに整合する角穴が形成されている。【選択図】図２
2009006429.tif 000002
【特許請求の範囲】
【請求項１】
インパクトドライバに着脱可能に構成され、ナットの取り付けおよび取り外しに使用するためのボックスレンチであって、
ボックスレンチ本体が、複数のナットを穴部に収容可能な筒状に形成され、
該穴部には、前記複数のナットの内、所定数を押し出し可能に構成されたスライド片と、前記穴部における開口端近傍に、前記複数のナットを前記穴部に保持可能に構成された第一係止部と、が設けられ、前記穴部の前記開口端に少なくとも前記ナットに整合する角穴が形成されていることを特徴とするボックスレンチ。
【請求項２】
前記穴部における前記第一係止部より奥側に、前記スライド片により押し出された所定数のナットを前記穴部の先端部に保持するための第二係止部が備えられていることを特徴とする請求項１に記載のボックスレンチ。
【請求項３】
前記スライド片が、前記ボックスレンチ本体の外周面に設けられた案内部材と接続されて、前記穴部の軸方向に移動可能、かつ、前記軸方向に所定間隔で係合可能に構成されていることを特徴とする請求項１または２に記載のボックスレンチ。
【請求項４】
前記ボックスレンチ本体の外周面に設けられた把持部が樹脂材料で形成されていることを特徴とする請求項１〜３のいずれかに記載のボックスレンチ。
【発明の詳細な説明】
【技術分野】
【０００１】
本発明は、ボックスレンチに関するものである。
【背景技術】
【０００２】
従来から、多数のナットを連続して取り外す作業を効率的に行うことができるインパクトレンチが知られている（例えば、特許文献１参照）。このインパクトレンチは、ソケット内にナットを外部に向け開口端より突き出すスプリングを設け、ナットにソケットを嵌めるとスプリングが圧縮され、この圧縮されたスプリングの弾発力で緩められたナットが自動的にソケットから突き出されるものである。
【特許文献１】実開平５−３６６号公報
【発明の開示】
【発明が解決しようとする課題】
【０００３】
ところで、上述した特許文献１のインパクトレンチでは、多数のナットを連続的に取り外す際のみに使用でき、ナットを取り付ける際に使用することはできないという問題があった。
【０００４】
そこで、本発明は、上述の事情を鑑みてなされたものであり、多数のナットを連続的に取り付けおよび取り外しすることができるボックスレンチを提供するものである。
【課題を解決するための手段】
【０００５】
上記の課題を解決するために、請求項１に記載した発明は、インパクトドライバに着脱可能に構成され、ナットの取り付けおよび取り外しに使用するためのボックスレンチであって、ボックスレンチ本体が、複数のナットを穴部に収容可能な筒状に形成され、該穴部には、前記複数のナットの内、所定数を押し出し可能に構成されたスライド片と、前記穴部における開口端近傍に、前記複数のナットを前記穴部に保持可能に構成された第一係止部と、が設けられ、前記穴部の前記開口端に少なくとも前記ナットに整合する角穴が形成されていることを特徴としている。
【０００６】
請求項２に記載した発明は、前記穴部における前記第一係止部より奥側に、前記スライド片により押し出された所定数のナットを前記穴部の先端部に保持するための第二係止部が備えられていることを特徴としている。
【０００７】
請求項３に記載した発明は、前記スライド片が、前記ボックスレンチ本体の外周面に設けられた案内部材と接続されて、前記穴部の軸方向に移動可能、かつ、前記軸方向に所定間隔で係合可能に構成されていることを特徴としている。
【０００８】
請求項４に記載した発明は、前記ボックスレンチ本体の外周面に設けられた把持部が樹脂材料で形成されていることを特徴としている。
【発明の効果】
【０００９】
請求項１に記載した発明によれば、ボックスレンチをインパクトドライバに接続して使用することができるため、例えば、容易にボルトからナットを取り外すことができる効果がある。また、例えば、ボルトにナットを取り付ける際に、インパクトドライバのトルクを調整することで、個人差なく、適正な締付力でナットを取り付けることができる効果がある。
【００１０】
また、ボックスレンチ本体に穴部を形成したため、例えば、ナットをボルトから取り外す際に、複数のナットを穴部に収容できるとともに、第一係止部によりナットが穴部に保持されて、ナットが穴部から自然落下することがなくなる。したがって、多数のナットを連続的に取り外し、さらに穴部内にそのナットを保持することができる効果がある。
【００１１】
さらに、穴部に設けられたスライド片により、例えば、ボルトにナットを取り付ける際に、穴部に収容された複数のナットの内、所定数のナットだけを穴部の開口端部近傍に配置させることができ、確実にナットをボルトに締め付けることができる。したがって、多数のナットを連続的に取り付けることができる効果がある。
【００１２】
請求項２に記載した発明によれば、第二係止部により、例えば、ボルトにナットを取り付ける際に、穴部の開口端部近傍に配置されたナットが第一係止部と第二係止部との間に保持され、穴部におけるインパクトドライバ側に移動することを防止できる。したがって、ボルトにナットを確実に取り付けることができる効果がある。
【００１３】
請求項３に記載した発明によれば、穴部に設けられているスライド片が、ボックスレンチ本体の外周面に設けられた案内部材を移動させると、それとともに移動するため、容易に移動させることができる効果がある。
また、係合凸部と係合凹部を設け、係合凹部を等間隔に形成することで、例えば、穴部に収容されているナットを所定数ずつ穴部の開口端部近傍に配置させることができる。したがって、複数のボルトに同じ条件でナットを取り付けることができる効果がある。
【００１４】
請求項４に記載した発明によれば、例えば、電流が流れている活線状態の信号端子部などのナットの交換をする際に、把持部を樹脂材料にすることで短絡などの発生を防止することができる効果がある。
【発明を実施するための最良の形態】
【００１５】
次に、本発明の実施形態を図１〜図５に基づいて説明する。なお、本実施形態においては、ボックスレンチを使用してボルトへのナットの取り付けおよびボルトに締付固定されているナットの取り外しを行う場合の説明をする。
図１〜図４に示すように、ボックスレンチ１０は筒状に形成され、穴部１１を有する本体部１３と、本体部１３とインパクトドライバ１５とを着脱可能に取り付けるための接続金具１９と、穴部１１に収容されたナットを所定数押し出すためのスライド部２１と、を備えている。
【００１６】
本体部１３は、例えばＳＫ（クロメートメッキ鋼板）などで形成されている。本体部１３は、外形が円形の筒状部材であり、ナットの外形形状と略同一の断面六角形の角穴で開口２３が形成され、開口２３と同一の形状の穴部１１が、全長に亘って形成されている。なお、本体部１３におけるインパクトドライバ１５との接続側には、接続金具１９が取り付けられている。
【００１７】
接続金具１９は、例えばＳＫなどで形成され、穴部１１に嵌合する接合凸部２５を備えている。接続金具１９の基部２６は、本体部１３の外形形状と略同一の外形形状で形成され、平面視略中央部にインパクトドライバ１５の先端部を挿入可能な接続穴２７が形成されている。また、基部２６の側面には蝶ボルト１７が取り付けられ、蝶ボルト１７をねじ込むことで、蝶ボルト１７の先端部でインパクトドライバ１５を押圧して強固に締付固定することができるように構成されている。また、本体部１３の外周面３２には貫通孔２８が形成され、ここに六角穴付止ねじ２９を締め付け、接合凸部２５の側面を押圧して、接続金具１９と本体部１３とを強固に接続している。
【００１８】
本体部１３における接続金具１９が設けられている側と反対側の穴部１１の開口２３側は、ナットの取り付け・取り外しができるように構成されている。本体部１３における開口２３の近傍には把持部３１が形成されている。把持部３１は本体部１３の外周面３２よりもその外形形状が若干張り出した筒状の部材に、例えばジュラコンなどの樹脂材料で形成されており、絶縁性を有している。把持部３１は、その外周面３３に六角穴付止ねじ３４を締め付けて、本体部１３に固定されている。
【００１９】
スライド部２１は、穴部１１を移動するスライド片３５と、スライド片３５に螺合されている案内ピン３６と、案内ピン３６と接続され、本体部１３の外周面３２に沿って移動可能に構成された筒状の案内部材３７とを備えている。また、スライド片３５の側面には、係合凸部３８が設けられている。係合凸部３８は、付勢部材３９と付勢部材３９の先端に取り付けられたボール材４０とが、スライド片３５に形成された穴４５に装着されたもので、ボール材４０の頭部４０ａがスライド片３５の外周面３５ａより突出するように構成されている。そして、本体部１３の外周面３２に略等間隔に軸方向に形成された係合貫通孔４１にボール材４０の頭部４０ａが本体部１３の内周面１２で係合可能に構成されている。なお、スライド片３５および案内部材３７は例えばＳＳ４００などで形成されており、案内ピン３６および係合凸部３８は例えばＳＵＳ３０４などで形成されている。
【００２０】
本体部１３の外周面３２には、その軸方向に沿う方向に案内用開口４２が形成されている。案内用開口４２にスライド部２１の案内ピン３６が配置されている。このように構成することで、案内部材３７を本体部１３の軸方向にスライドさせることで、スライド片３５を穴部１１の軸方向に移動できるように構成されている。
【００２１】
また、把持部３１における開口２３側の端部近傍に、一対の第一係止部５１が設けられている。第一係止部５１は、付勢部材５２と付勢部材５２の先端に取り付けられたボール材５３とで構成され、ボール材５３の頭部５３ａが穴部１１の内周面１２より突出するように構成されている。また、把持部３１における第一係止部５１に対応した位置には貫通孔５４が形成されている。貫通孔５４には、例えば埋込ナット５５が取り付けられ、埋込ナット５５の締付量を調整することで、付勢部材５２の付勢圧力を調整できるように構成されている。
【００２２】
本体部１３における第一係止部５１より所定距離空けた位置で、把持部３１の他端近傍に、第二係止部６１が設けられている。第二係止部６１は、付勢部材６２と付勢部材６２の先端に取り付けられたボール材６３とで構成され、ボール材６３の頭部６３ａが穴部１１の内周面１２より突出するように構成されている。また、把持部３１における第二係止部６１に対応した位置には貫通孔６４が形成されている。貫通孔６４には、例えば埋込ナット６５が取り付けられ、埋込ナット６５の締付量を調整することで、付勢部材６２の付勢圧力を調整できるように構成されている。そして、第一係止部５１と第二係止部６１との間が先端部として構成される。
【００２３】
次に、ボックスレンチ１０の作用（使用方法）について図５を用いて説明する。なお、以下の説明では、信号端子からケーブルを取り外す場合、および信号端子にケーブルを取り付ける場合を想定して説明する。
【００２４】
（信号端子からケーブルを取り外す場合）
取り外し作業に先立って、スライド片３５を上側に移動し、ボール材４０を係合貫通孔４１に係止して固定しておく。
まず、ボックスレンチ１０の接続穴２７にインパクトドライバ１５の先端部を差込み、蝶ボルト１７を締め付けて、ボックスレンチ１０とインパクトドライバ１５とを締付固定する。
【００２５】
インパクトドライバ１５の回転方向スイッチをナットが緩む方向に設定した後、ボックスレンチ１０の先端部の開口２３に信号端子７１に取り付けられている上部ナット７２を差し込む。
その状態で、インパクトドライバ１５を回転させ、上部ナット７２を緩め、所定量緩んだ後に、インパクトドライバ１５の回転を一旦停止する。このとき、上部ナット７２は、第一係止部５１のボール材５３を押し込んで、その上側に移動する。
【００２６】
ボックスレンチ１０をさらに信号端子７１側に向かって押し込み、開口２３に下部ナット７３を差し込む。そして、上述と同様に下部ナット７３を緩める。このとき、下部ナット７３とともに、上部ナット７２も穴部１１内で回転する。上部ナット７２および下部ナット７３ともにボルト７５から外れたことを確認する。そして、下部ナット７３が第一係止部５１の奥側に収容されていることを確認する。下部ナット７３の緩め作業中にインパクトドライバ１５を上側に引き上げていたため、下部ナット７３が第一係止部５１の奥側に収容されていない場合には、本体部１３を信号端子７１側に押し込むことで収容することができる。また、このとき第一係止部５１の付勢部材５２の付勢力によりナットが本体部１３から自然落下しないようになっている。
【００２７】
連続して別の信号端子７１からナットを取り外す場合は、上述の動作を繰り返す。なお、ボックスレンチ１０には、６組分のナットセット７６（上部ナット７２、ワッシャ７７、下部ナット７３）が収容できるように穴部１１が構成されている。このようにすることで、信号端子７１からケーブル７８を連続作業で複数箇所取り外すことができる。
また、連続してナットを取り外す際に、第一係止部５１によりナットが穴部１１内に保持されるため、ナットが自然落下などによりボックスレンチ１０から脱落することがない。
【００２８】
（信号端子にケーブルを取り付ける場合）
取り付け作業に先立って、スライド部２１を最上部（インパクトドライバ１５側）にスライドさせ、その状態で、穴部１１に上部ナット７２、ワッシャ７７、下部ナット７３を１組とするナットセット７６を複数組収容する。なお、本実施形態では、６組分のナットセット７６を収容できるように構成されている。
まず、ボックスレンチ１０の接続穴２７にインパクトドライバ１５の先端部を差込み、蝶ボルト１７を締め付けて、ボックスレンチ１０とインパクトドライバ１５とを締付固定する。
【００２９】
インパクトドライバ１５の回転方向スイッチをナットが締まる方向に設定した後、ボックスレンチ１０の開口２３に信号端子７１のボルト７５を差し込む。
スライド部２１を開口２３側に止まるまで下げる。つまり、ボルト７５と下部ナット７３とが接触するまで下げる。このとき、第一係止部５１と第二係止部６１との間（先端部）に、１組のナットセット７６が収容されるように構成されており、また、第二係止部６１により他のナットが自然落下などしないように構成されている。
【００３０】
インパクトドライバ１５を回転させ、下部ナット７３をボルト７５に締め付ける。このとき、下部ナット７３は第一係止部５１のボール材５３を押し込んで下側に移動する。下部ナット７３が締め付けられ、インパクトドライバ１５が空転したら、インパクトドライバ１５の回転を停止する。そして、ボルト７５と上部ナット７２とが接触するように調整した後、インパクトドライバ１５を回転させ、上部ナット７２をボルト７５に締め付ける。このとき、下部ナット７３は既に締め付けられているため、下部ナット７３はボックスレンチ１０の外側に位置するようにした状態で上部ナット７２の締め付けを行う。
【００３１】
連続して別の信号端子７１のボルト７５にナットを取り付ける場合は、上述の動作を繰り返す。なお、スライド部２１を係合貫通孔４１の一つ分だけスライドさせると、１組のナットセット７６が第一係止部５１と第二係止部６１との間に収容されるように構成されている。
このようにすることで、信号端子７１にケーブル７８を連続作業で複数箇所取り付けることができる。
【００３２】
本実施形態におけるボックスレンチ１０の具体的な使用例として、電気転てつ機の交換作業が挙げられる。
電気転てつ機の交換作業は、列車が通過する合間の短時間で行わなければならない作業である。また、電気転てつ機の交換作業は、１２端子以上のナットの取り外し・取り付けが必要であり、一旦取り外したナットをケーブルなどの交換後、またすぐに取り付けるという作業である。つまり、短時間で効率よく作業を行う必要があった。
【００３３】
したがって、これまではナットの取り外し・取り付けを手作業で行っていたため、例えば１２端子分の作業時間としては、８〜９分程度かかっていたが、本実施形態のボックスレンチ１０を用いることで、同じ作業を４分程度で行うことが可能になった。
また、インパクトドライバ１５を用いてナットの締付力のトルク管理ができるようになるため、個人差がなく、また、締付不良なども発生することなく、確実にナットを締め付けることができる。したがって、効率よく作業をすることができるとともに、安定した列車運行を維持することができる。
【００３４】
本実施形態によれば、インパクトドライバ１５に接続可能に構成され、ナットの取り付けおよび取り外しに使用するためのボックスレンチ１０において、本体部１３に、複数のナットを収容可能な穴部１１を形成し、穴部１１には、複数のナットの内、所定数を押し出し可能に構成されたスライド片３５と、穴部１１における開口２３の端部近傍に、複数のナットを穴部１１に保持可能に構成された第一係止部５１と、を備えて構成した。
【００３５】
このように構成したため、ボックスレンチ１０をインパクトドライバ１５に接続して使用することができ、容易にボルトからナットを取り外すことができる。また、ボルトにナットを取り付ける際に、インパクトドライバ１５のトルクを調整することで、個人差なく、適正な締付力でナットを効率よく取り付けることができる。
【００３６】
また、本体部１３に穴部１１を形成したため、ナットをボルトから取り外す際に、複数のナットを穴部１１に収容できるとともに、第一係止部５１によりナットが穴部１１内に保持されて、自然にナットが落下することがなくなる。したがって、多数のナットを効率よく連続的に取り外すことができる。
【００３７】
さらに、穴部１１に設けられたスライド片３５により、ボルトにナットを取り付ける際に、穴部１１に収容された複数のナットの内、スライド片３５により所定数のナットだけを穴部１１の開口２３の端部近傍に配置させることができ、確実にナットをボルトに締め付けることができる。したがって、多数のナットを連続的に取り付けることができる。
【００３８】
また、穴部１１における第一係止部５１より奥側に、スライド片３５により押し出された所定数のナットを穴部１１の先端部に保持するための第二係止部６１を備えて構成した。
【００３９】
このように構成したため、第二係止部６１により、ボルトにナットを取り付ける際に、穴部１１の開口２３の端部近傍に配置されたナットが保持され、穴部１１におけるインパクトドライバ１５側に移動することを防止できる。したがって、ボルトにナットを確実に取り付けることができる。
【００４０】
さらに、スライド片３５を、本体部１３の外周面３２に設けられた案内部材３７と接続して、穴部１１の軸方向に移動可能に構成し、スライド片３５に設けられた係合凸部３８が、穴部１１の内周面１２で軸方向に所定間隔ごとに形成された係合貫通孔４１に係合されるように構成した。
【００４１】
このように構成したため、穴部１１に設けられているスライド片３５が、本体部１３の外周面３２に設けられた案内部材３７を移動させると、それとともに移動するため、容易に移動させることができる。
また、係合凸部３８と係合貫通孔４１を設け、係合貫通孔４１を等間隔に形成することで、穴部１１に収容されているナットを所定数ずつ穴部１１の開口２３の端部近傍に配置させることができる。したがって、複数のボルトに同じ条件でナットを取り付けることができる。
【００４２】
そして、本体部１３の外周面３２に設けられた把持部３１を樹脂材料で形成した。
【００４３】
このように構成したため、把持部３１の絶縁性が確保され、電流が流れている活線状態の信号端子部などのナットの交換をする際に、把持部３１を樹脂材料にすることで短絡などの発生を防止することができる。
【００４４】
尚、本発明の技術範囲は、上述した実施形態に限定されるものではなく、本発明の趣旨を逸脱しない範囲において、上述した実施形態に種々の変更を加えたものを含む。すなわち、実施形態で挙げた具体的な材料や構成等は一例にすぎず、適宜変更が可能である。
【図面の簡単な説明】
【００４５】
【図１】本発明の実施形態におけるボックスレンチの正面図である。
【図２】図１のＡ−Ａ線に沿う断面図である。
【図３】本発明の実施形態におけるボックスレンチの背面図である。
【図４】図１のＢ矢視図である。
【図５】本発明の実施形態におけるボックスレンチの使用中の説明図である。
【符号の説明】
【００４６】
１０…ボックスレンチ  １１…穴部  １３…本体部（ボックスレンチ本体）  １５…インパクトドライバ  ２３…開口  ３１…把持部  ３２…外周面  ３５…スライド片  ３７…案内部材  ５１…第一係止部  ６１…第二係止部  ７２…上部ナット（ナット）  ７３…下部ナット（ナット）  
【図１】
2009006429.tif 000003
【図２】
2009006429.tif 000004
【図３】
2009006429.tif 000005
【図４】
2009006429.tif 000006
【図５】
2009006429.tif 000007